(57)【要約】【課題】切断して形成した開口部を容易に再封止して埃等の混入を防止することができる簡便な液状物質供給用吊り下げバッグの提供。【解決手段】注出口を有すると共に、切断による開口部形成が可能な合成樹脂フィルム製液状物質供給用吊り下げバックであって、開口部形成後当該開口部の折り畳み封止時に相互に重なり合う２個以上の係止具挿通用穴及び／又は切れ目を備えている液状物質供給用吊り下げバッグ。【選択図】      図１
2004182311.tif 000002
【特許請求の範囲】
【請求項１】
注出口を有すると共に、切断による開口部形成が可能な合成樹脂フィルム製液状物質供給用吊り下げバックであって、開口部形成後当該開口部の折り畳み封止時に相互に重なり合う２個以上の係止具挿通用穴及び／又は切れ目を備えていることを特徴とする液状物質供給用吊り下げバッグ。
【請求項２】
係止具挿通用穴及び／又は切れ目が、溶着側縁部に形設されていることを特徴とする請求項１記載の液状物質供給用吊り下げバッグ。
【請求項３】
バッグ本体の側縁部に、開口部形成用切れ目が形設されていることを特徴とする請求項１又は２記載の液状物質供給用吊り下げバッグ。
【請求項４】
注出口にチューブ連結用コネクターが装着されていることを特徴とする請求項１〜３の何れか１項記載の液状物質供給用吊り下げバッグ。
【発明の詳細な説明】
【０００１】
【発明の属する技術分野】
本発明は液状物質供給用吊り下げバッグ、更に詳細には流動食、経腸栄養剤、輸液、飲料水等の液状物質を封入して人体に供給するための吊り下げバッグに関する。
【０００２】
【従来の技術】
従来、斯かる液状物質供給用吊り下げバッグとしては、種々の形態のバッグが既に報告あるいは実用に供されている。例えば、経腸栄養剤や流動食用吊り下げバッグにおいては、使用時に流動食等の内容物を追加したり、希釈のために飲料水を補給することが多いので、当該追加・補給用の開口部を形成するための開口予定部を設けた合成樹脂フィルム製吊り下げバッグも報告されている（例えば、特許文献１参照）。
【０００３】
しかしながら、斯かる開口予定部を設けた場合には、当該予定部を切断開口して容易に内容物の追加や飲料水の補給を行なうことができるものの、その開口部に再封止手段が存在しないために、切断開口後に埃等が混入し易いと云う問題があった。
【０００４】
【特許文献１】
特開２０００−５２７８号公報
【０００５】
【発明が解決しようとする課題】
本発明は上記の如き従来の問題に鑑みてなされたもので、切断して形成した開口部を容易に再封止して埃等の混入を防止することができる簡便な液状物質供給用吊り下げバッグを提供することを目的とする。
【０００６】
本発明者は斯かる目的を達成すべく種々研究を重ねた結果、当該バッグ本体の開口部を折り畳み封止した際に相互に重なり合う位置に、２個以上の係止具挿通用穴や切れ目を設ければ、ジッパー等の特殊な再封止手段を格別設けずとも、当該重なりあった穴や切れ目にフック等の係止具を挿通して吊り下げるだけで開口部を再封止して埃等の混入を防止し得ることを見い出し本発明を完成した。
【０００７】
【課題を解決するための手段】
すなわち、本発明は、注出口を有すると共に、切断による開口部形成が可能な合成樹脂フィルム製液状物質供給用吊り下げバックであって、開口部形成後当該開口部の折り畳み封止時に相互に重なり合う２個以上の係止具挿通用穴及び／又は切れ目を備えていることを特徴とする液状物質供給用吊り下げバッグにより上記目的を達成したものである。
【０００８】
【発明の実施の形態】
以下本発明の実施の形態を図面と共に説明する。
【０００９】
図１は、本発明液状物質供給用吊り下げバッグの正面説明図である。該図１において、１０はバッグ本体で、合成樹脂フィルムから成る。このバッグ本体１０の成形法は特に限定されず、例えばヒートシール製袋法が好ましい方法として挙げられる。またその樹脂材質（例えばバリア性フィルム、ナイロン、ポリプロピレンなど）、大きさ、形態（例えば扁平体、角底体など）、色、透明・不透明等の如何も問わず、内容物の量や用途により適宜選定することができる。
【００１０】
２０は注出口で、バッグ本体１０の一隅部に設けられている。この注出口２０にはチューブ連結用コネクター（図示省略）を装着するのが好ましく、また当該注出口２０とコネクターは一体成形するのが好ましい。
尚、注出口２０も、その材質（例えば鉄、アルミニウム、チタン、銅等の金属；ポリプロピレン、ポリエチレン、ポリエチレンフタレート、ＡＢＳ樹脂等のプラスチックなど）、大きさ、形態、色、透明・不透明等の如何を問わず、内容物の量や用途により適宜選定することができる。
【００１１】
３０は係止具挿通用穴で、バッグ本体１０に切断形成した開口部Ｐ（図２参照）を折り畳み封止した際に相互に重なり合うように２個形設されている。この係止具挿通用穴３０の具体的形設部位は、開口部Ｐの折り畳み封止時に相互に重なり合う位置であれば特に限定されないが、ヒートシールで成形したバッグ本体１０の溶着側縁部１１に形設するのが強度性に優れ望ましい。また、この場合、係止具挿通用穴３０を形設する溶着側縁部１１は他の溶着部に比しやや巾広（広面積）とするのが好ましい。
【００１２】
係止具挿通用穴３０の形設数は、開口部Ｐを封止するために２個以上であれば良く、具体的には開口部Ｐの折り畳み回数に応じて選定される。因に、当該形設数が多いほど、換言すれば当該折り畳み回数が多いほど開口部Ｐの封止性がより高まる。
【００１３】
係止具挿通用穴３０の大きさや形状も特に限定されず、フック、棒、紐等の係止具に応じて適宜選定し得、例えば図４（１）、（２）及び（６）に示す如く、異なった大きさや異なった形状のものであっても良い。また、係止具挿通用穴３０に代え、例えば図４（３）〜（５）に示す如き切れ目３１であっても良い。
【００１４】
４０は開口部形成用切れ目で、バッグ本体１０の対向側縁部に一対形設されている。因に、この切れ目４０は、切断による開口部形成部位の目印になっていると共に、切断操作をより容易なものとしている。
【００１５】
図２は、係止具挿通用穴３０を３個（３０ａ〜３０ｃ）備えた本発明吊り下げバッグの使用例を示す模式説明図である。以下該図２に基いて本発明吊り下げバッグの使用法を説明する。
【００１６】
切断により形成された開口部Ｐから内容物の追加や飲料水の補給をした後、当該開口部Ｐを、バッグ本体１０の上位の係止具挿通用穴３０ａと中位の係止具挿通用穴３０ｂとの間で折り畳み封止し、当該両穴３０ａ及び３０ｂを重ね合わせる（図２（１）〜（２）参照）。次いで、中位の係止具挿通用穴３０ｂと下位の係止具挿通用穴３０ｃとの間で更に折り畳み、当該３個の穴３０ｂ、３０ａ及び３０ｃを重ね合わせる（図２（２）〜（３）参照）。次いで、その重ね合わせ状態でフック等の係止具（図示省略）を当該穴３０ｂ、３０ａ及び３０ｃに挿通し、バッグ本体１０を吊り下げれば、開口部Ｐは再封止された状態に保持されるので、埃等の混入は防止される。
【００１７】
図３は、係止具挿通用穴３０を２個（３０ａ、３０ｂ）備えた本発明吊り下げバッグの使用例を示す模式説明図で、開口部Ｐの折り畳み回数が１回である以外は図２と同様にして使用される。
【００１８】
【発明の効果】
本発明液状物質供給用吊り下げバッグを用いれば、切断開口部を単に折り畳むだけで極めて容易に再封止し得、従ってまた内容物の供給中に埃等が混入することを防止することができる。しかも、本発明吊り下げバッグは簡易な構造で、部品数や製造工程数の増加も不必要なため、通常の吊り下げバッグとほぼ同一の工程で製造することができ、生産効率性にも優れる。
【図面の簡単な説明】
【図１】本発明吊り下げバッグ正面説明図。
【図２】本発明吊り下げバッグの使用例を示す模式説明図。
【図３】他の本発明吊り下げバッグの使用例を示す模式説明図。
【図４】係止具挿通用穴及び切れ目例を示す正面説明図。
【符号の説明】
１０：バッグ本体
１１：溶着側縁部
２０：注出口
３０：係止具挿通用穴
３０ａ、３０ｂ、３０ｃ：係止具挿通用穴
３１：係止具挿通用切れ目
４０：開口部形成用切れ目
Ｐ：開口部
【図１】
2004182311.tif 000003
【図２】
2004182311.tif 000004
【図３】
2004182311.tif 000005
【図４】
2004182311.tif 000006